(57)【要約】【課題】給紙カセットを引き出す際に発生する用紙及び前送りコロのダメージを確実に防止する。【解決手段】この装置は、給紙カセット本体６１１と、前送りコロ６４１と、ロック機構６５と、ロック解除手段６６と、連動機構６７と、を備える。給紙カセット本体６１１は、画像形成装置内部のセット位置と、引き出し位置と、を取り得る。前送りコロ６４１は、給紙カセット本体内の用紙に対して当接及び退避が可能である。ロック機構６５は、給紙カセット本体がセット位置のときに、給紙カセット本体を画像形成装置に対してロックする。ロック解除手段６６は、給紙カセット本体に設けられ、ロック機構６５のロック状態を解除する。連動機構６７は、ロック解除手段６６によるロック機構６５のロック解除動作に連動させて前送りコロ６４１を退避位置に移動させる。【選択図】図３
2010030713.tif 000002
【特許請求の範囲】
【請求項１】
画像形成装置の画像形成部に用紙を供給するための給紙装置であって、
前記画像形成装置内部にセットされたセット位置と、前記画像形成装置から引き出された引き出し位置と、を取り得る給紙カセット本体と、
前記給紙カセット本体内の用紙に対して当接及び退避が可能であり、用紙を前記給紙カセット本体から前記画像形成部側に送り出すための前送りコロと、
前記給紙カセット本体が前記セット位置のときに、前記給紙カセット本体を前記画像形成装置に対してロックするロック機構と、
前記給紙カセット本体に設けられ、前記ロック機構のロック状態を解除するロック解除手段と、
前記ロック解除手段による前記ロック機構のロック解除動作に連動させて前記送りコロを退避位置に移動させる連動機構と、
を備える給紙装置。
【請求項２】
前記画像形成装置はフレームを有し、
一端が前記フレームに回動自在に支持された支持部を有し、他端が前記支持部の回りに揺動自在な支持部材をさらに備え、
前記前送りコロは、前記支持部材の他端部に回転自在に支持されて前記給紙カセット本体内の用紙に当接可能であり、
前記連動機構は前記ロック解除動作に伴って前記支持部材の他端を上方に移動させるものである、
請求項１に記載の給紙装置。
【請求項３】
前記ロック機構は、前記画像形成装置に設けられた係合部と、前記給紙カセット本体に設けられ前記係合部に係止する係止部材と、を有し、
前記ロック解除手段は、前記給紙カセット本体の引き出し側前面に設けられた取っ手部と、前記取っ手部の操作により前記係止部材の前記係合部に対する係止を解除するリンク機構と、を有している、
請求項２に記載の給紙装置。
【請求項４】
前記取っ手部を前記給紙カセット本体の引き出し方向に沿って操作することにより、前記係止部材の前記係合部に対する係止を解除する、請求項３に記載の給紙装置。
【請求項５】
前記連動機構は、前記係止部材の前記係合部に対する係止解除動作に伴って前記支持部材の一端を上方に移動させる昇降部材を有している、請求項３に記載の給紙装置。
【請求項６】
請求項１から５のいずれか１項に記載の給紙装置と、
前記給紙装置から給紙される用紙に対し画像形成を行う画像形成部と、
を備えた画像形成装置。
【発明の詳細な説明】
【技術分野】
【０００１】
本発明は、給紙装置、特に画像形成装置の画像形成部に用紙を供給するための給紙装置及びその給紙装置を備えた画像形成装置に関する。
【背景技術】
【０００２】
複写機やファクシミリ、複合機などの画像形成装置には、画像形成部に用紙を供給するための給紙装置が設けられている。給紙装置は、用紙を収納する給紙カセットと、給紙カセット内の用紙を送り出すための前送りコロと、前送りコロによって送り出された用紙を順次一枚ずつ搬送するための１対の給紙ローラとを有している。
【０００３】
給紙装置の給紙カセットは画像形成装置から引き出し可能に取り付けられている。例えば、画像形成部の下方に給紙カセットが装着されたタイプの画像形成装置では、用紙を補給するために給紙カセットが画像形成装置本体から前方側に引き出し可能となっている。
【０００４】
また、給紙装置における前送りコロは、画像形成装置本体にセットされた給紙カセットの上方に配置されており、給紙カセット内の最上位の用紙の給紙方向先端側に当接している。このような状態で前送りコロが回転することにより、給紙カセット内の用紙が給紙カセットから送り出され、送り出された用紙は１対の給紙ローラを介して画像形成部に送られる。
【０００５】
ここで、用紙を補給する場合や紙詰まりの処理を行う場合には、給紙カセットが画像形成装置本体から引き出される。給紙カセットの引き出しの際には、前送りコロと給紙カセット内の最上位の用紙とが接触しているため、つまり最上位の用紙が前送りコロにニップされているため、この状態のまま給紙カセットを引き出すと、用紙にしわや破損が生じる場合がある。また、前送りコロ自体にダメージが発生する場合がある。
【０００６】
そこで、給紙カセットを画像形成装置本体から引き出す際に、前送りコロが給紙カセットの引き出しの障害にならないように、例えば、給紙カセットの引き出し時に用紙が載置されている給紙カセットの底板を下降させて、前送りコロから用紙を離すようにした給紙装置がある。また、特許文献１に示されるように、給紙カセットの着脱の際に、拘束レバーを用いてピックアップローラを退避位置に退避させ、給紙カセットを挿入した状態ではピックアップローラを用紙の上面に接触させる給紙装置がある。さらに、ソレノイドなど動力を用いてピックアップローラを退避位置に退避させる給紙装置もある。
【特許文献１】特開２００１−８０７５９号公報
【発明の開示】
【発明が解決しようとする課題】
【０００７】
ここで、前述のような、従来の給紙装置では、前送りコロを退避位置に退避させるためには、まずは給紙カセットを引き出す必要がある。すなわち、最初の短期間ではあるが、最上位の用紙が前送りコロにニップされた状態で給紙カセットを引き出さなければならない。従って、最上位の用紙および前送りコロへのダメージを完全に排除することはできないという問題がある。また、動力を用いて前送りコロを退避させるようにした給紙装置では、動力源を確保しなければならず、また駆動を伝達してから実際に前送りコロが退避するまでに時間がかかるという問題がある。
【０００８】
本発明の課題は、給紙カセットを引き出す際に発生する用紙及び前送りコロのダメージを確実に防止するようにすることにある。
【０００９】
本発明の別の課題は、動力等を用いずに簡易な機構で前送りコロを退避位置に退避させることにある。
【課題を解決するための手段】
【００１０】
請求項１に係る給紙装置は、画像形成装置の画像形成部に用紙を供給するための給紙装置であって、給紙カセット本体と、前送りコロと、ロック機構と、ロック解除手段と、連動機構と、を備える。給紙カセット本体は、画像形成装置内部にセットされたセット位置と、画像形成装置から引き出しされた引き出し位置と、を取り得る。前送りコロは、給紙カセット本体内の用紙に対して当接及び退避が可能であり、用紙を給紙カセット本体から画像形成部に送り出す。ロック機構は、給紙カセット本体がセット位置のときに、給紙カセット本体を画像形成装置に対してロックする機構である。ロック解除手段は、給紙カセット本体に設けられ、ロック機構のロック状態を解除する手段である。連動機構は、ロック解除手段によるロック機構のロック解除動作に連動させて前送りコロを退避位置に移動させる機構である。
【００１１】
給紙カセット本体が画像形成装置内のセット位置にセットされているときは、給紙カセット本体は画像形成装置に対してロック機構によりロックされ、引き出しができないようになっている。また、この状態では、送りコロは、給紙カセット本体内の最上位の用紙に当接している。用紙の補給や紙詰まり処理等のために給紙カセットを画像形成装置本体から引き出すときは、給紙カセット本体に形成されているロック解除手段を用いてロック機構のロック状態が解除されるが、ここで本発明では、連動機構によって、ロック解除手段と送りコロとが連動するように構成されている。このため、ロック解除手段によってロック機構のロック状態が解除されると同時に、給紙カセットの用紙に当接している送りコロを退避位置に退避させることができる。
【００１２】
従って、給紙カセットを引き出す際に発生する用紙及び前送りコロのダメージを確実に防止することができる。
【００１３】
請求項２に係る給紙装置は、請求項１の装置において、画像形成装置はフレームを有している。そして、一端がフレームに回動自在に支持された支持部を有し、他端が支持部の回りに揺動自在な支持部材をさらに備えている。また、前送りコロは、支持部材の他端部に回転自在に支持されて給紙カセット本体内の用紙に当接可能であり、連動機構はロック解除動作に伴って支持部材の他端を上方に移動させるものである。
【００１４】
この装置では、前送りコロは支持部材の他端（先端）に回転自在に支持されており、通常は給紙カセット本体内の用紙に当接している。そして、給紙カセット本体を引き出す際のロック解除時には、ロック解除動作に伴って、連動機構により支持部材の先端が上方に持ち上げられる。したがって、この支持部材の先端に支持されている前送りコロが用紙から離れて退避位置に移動させられる。
【００１５】
ここでは、簡単な機構でロック解除動作と前送りコロの退避位置への移動を連動させることができる。
【００１６】
請求項３に係る給紙装置は、請求項２の装置において、ロック機構は、画像形成装置に設けられた係合部と、給紙カセット本体に設けられ係合部に係止する係止部材と、を有している。また、ロック解除手段は、給紙カセット本体の引き出し側前面に設けられた取っ手部と、取っ手部の操作に伴って係止部材の係合部に対する係止を解除するリンク機構と、を有している。
【００１７】
この装置では、給紙カセット本体に設けられた係止部材が画像形成装置に設けられた係合部に係止することにより、給紙カセット本体が画像形成装置に対してロックされている。そして、給紙カセット本体を引き出す際には、給紙カセット本体の前面に設けられた取っ手部が操作される。この取っ手部が操作されることにより、係止部材の係合部に対する係止が解除され、給紙カセット本体の引き出しが可能になる。
【００１８】
請求項４に係る給紙装置は、請求項３の装置において、取っ手部を給紙カセット本体の引き出し方向に沿って操作することにより、係止部材の係合部に対する係止を解除する。
【００１９】
この装置では、取っ手部の操作は給紙カセット本体の引き出し方向に沿ってなされる。このように給紙カセット本体の引き出し方向と取っ手部の操作方向が同じであるため、ユーザは取っ手部の操作に連続させて給紙カセット引き出すことができ、操作が容易となる。また、給紙カセット本体の引き出しの際には、ユーザはまず取っ手部を操作すればよい。従って、ユーザはロック機構の解除を意識することなく、取っ手部を操作することで、給紙カセット本体の引き出しとともに係止部材の係合部に対する係止が解除することができる。
【００２０】
請求項５に係る給紙装置は、請求項３の装置において、連動機構は、係止部材の係合部に対する係止解除動作に伴って支持部材の一端を上方に移動させる昇降部材を有している。
【００２１】
この装置では、係止部材の係合部に対する係止が解除されると、その動作に伴って昇降部材が支持部材の一端、すなわち前送りコロが支持された部分が上方に持ち上げられる。これにより、前送りコロが用紙から離れて退避する。
【００２２】
請求項６に係る画像形成装置は、請求項１から５のいずれか１項に記載の給紙装置と、給紙装置から給紙される用紙に対し画像形成を行う画像形成部と、を備えている。
【発明の効果】
【００２３】
本発明によれば、給紙カセットを引き出す際に、複雑な機構や動力を用いることなく、給紙カセットを動かす前に前送りコロを退避位置に移動させることができる。従って、簡単な機構によって給紙カセットを引き出す際に生じる用紙及び前送りコロのダメージを回避することできる。
【発明を実施するための最良の形態】
【００２４】
［全体構成］
図１に本発明の実施形態による給紙カセットを備えた画像形成装置としての複写機１を示す。なお、図１は、複写機１の全体概略図であって、詳細は省略している。この複写機１は、原稿読み取り部２と、画像形成部３と、定着ユニット４と、排出部５と、給紙装置６と、用紙搬送部７とを有している。
【００２５】
原稿読み取り部２は、原稿の画像データを読み取るための部分であって、コンタクトガラスや図示しないカバーを有している。この原稿読み取り部２では、コンタクトガラス上に原稿を載置した後にカバーを閉じ、複写命令のためのキーを押すことで、コンタクトガラス上の原稿の画像データを読み取ることが可能である。
【００２６】
画像形成部３は、原稿読み取り部２で読み取られた原稿の画像データに基づいて用紙に画像を形成するための部分であって、主に、感光体ドラム３１と、レーザユニット３２と、現像器３３と、を有している。感光体ドラム３１は、画像データに基づいて静電潜像が表面に形成される部材であって、円筒状の部材である。レーザユニット３２は、感光体ドラム３１上にレーザ光を照射するための部材である。現像器３３は、感光体ドラム３１の表面にトナーを供給するものであり、感光体ドラム３１に近接して配置されている。現像器３３の内部にはトナーが収納されており、感光体ドラム３１と対向して現像ローラが配置されている。この現像ローラによって感光体ドラム３１の表面にトナーが供給される。
【００２７】
定着ユニット４は、画像形成部３の上方に配置されており、用紙に形成されたトナー像を定着させるための部分であって、互いに対向して配置された加熱ローラ及び加圧ローラを有している。
【００２８】
排出部５は、画像が形成された用紙を排出するための部分であって、複写機１の上部で、原稿読み取り部２の下方に配置されている。
【００２９】
給紙装置６は、用紙を収納するための給紙カセット６１，６２と、バイパス給紙部６３と、給紙カセット６１，６２からの用紙を画像形成部３側に送るための給紙機構６４と、を有している。各給紙カセット６１，６２は、複写機１の手前側（図１の紙面手前側）に引き出すことが可能である。給紙機構６４は、複写機１本体にセットされた給紙カセット６１，６２の上方であって、給紙方向下流側に設けられていて、給紙カセット６１，６２内の用紙を順に画像形成部３に送るための部分である。給紙装置６の詳細については後述する。
【００３０】
用紙搬送部７は、給紙カセット６１，６２及びバイパス給紙部６３の用紙を画像形成部３に向けて搬送するものであり、給紙装置６から排出部５まで延びている。用紙搬送部７には、レジストローラや搬送ローラが配置されており、通常は、給紙カセット６１，６２及びバイパス給紙部６３の用紙を画像形成部３、定着ユニット４、排出部５の順に搬送する。
【００３１】
［給紙装置］
給紙装置６について図２乃至図４を用いて説明する。図２は、複写機１から給紙カセット６１が引き出された状態を示す斜視図である。図３は、給紙装置６の側面概略断面図であって、給紙カセット６１が複写機１本体内のセット位置にある場合の給紙装置６を実線で示す。図４は、給紙カセット６１，６２に収納された用紙Ｐと給紙装置６の給紙機構６４との位置関係を示す給紙装置６の平面概略図である。なお、２つの給紙カセット６１，６２の構成は同じであるので、以下、給紙カセット６１を用いて給紙装置６を説明する。
【００３２】
給紙装置６は、図２及び図４におけるＡ方向に向かって、給紙カセット６１内の用紙Ｐを順に画像形成部３に送るための装置である。給紙装置６は、前述の給紙カセット６１、バイパス給紙部６３、給紙機構６４に加えて、主に給紙カセット６１に設けられたカセットロック用の係止部材６１４（ロック機構６５の一部）、ロック解除手段６６及び連動機構６７を有している。
【００３３】
給紙カセット６１は、用紙Ｐを収納するための部分であって、複写機本体１から図２及び図３におけるＢ方向に向かって引き出しが可能である。給紙カセット６１は、略直方体状のケース本体６１１と、幅合わせ機構６１２と、底板６１ａ（図１参照）と、引き出し用ガイドレール６１３とを有し、さらに、前述のように、カセットロック用の係止部材６１４、ロック解除手段６６及び連動機構６７を有している。
【００３４】
ケース本体６１１は、前面部６１１ａ、対向する１対の側面部６１１ｂ、及び背面部６１１ｃに囲まれた箱状に形成されている。幅合わせ機構６１２は、ケース本体６１１の内部に設けられ、収納された用紙Ｐの幅合わせを行う為の機構である。底板６１ａは、ケース本体６１１の底部に配置され、載置された用紙Ｐを昇降移動させるために図示しない駆動装置により昇降可能となっている。
【００３５】
引き出し用ガイド６１３は、ケース本体６１１の側面部６１１ｂに、引き出し方向に沿って設けられている。なお、複写機１の本体側には、ガイド６１３にスライド自在に係止するガイド突起（図示せず）が設けられている。
【００３６】
カセットロック用の係止部材６１４は、給紙方向側であるケース本体６１１の側面部６１１ｂのさらに側方（外側の面）に設けられている。この係止部材６１４は、給紙カセット６１が複写機１内においてセット位置のときに、複写機１本体側のロックピン１１２ととともに、給紙カセット６１の位置決めを行うためのロック機構６５を構成している。係止部材６１４は、図３に示すように、引き出し方向に伸びる第１腕部６１４ａおよび垂直方向に伸びる第２腕部６１４ｂを有し、第１腕部６１４ａと第２腕部６１４ｂとがなす角度が不変である一体的なプレート部材である。引き出し方向に伸びる第１腕部６１４ａの中央下部には、ロックピン１１２と係合するために下方に開く切欠部６１４ｃが形成されている。また、係止部材６１４の２つの腕部の連結部には回転軸６１４ｄが設けられており、係止部材６１４はこの回転軸６１４ｄに相対回転可能に支持されている。回転軸６１４ｄはケース本体６１１に固定されており、したがって、係止部材６１４は、回転軸６１４ｄの回りに回転することにより、引き出し方向に伸びる第１腕部６１４ａの引き出し方向の奥側である他端側（先端側）が上下方向に移動自在となっている。
【００３７】
ロック解除手段６６は、ケース本体６１１の前面部６１１ａに形成された凹部６１１ｄに設けられた取っ手部６１５と、リンク機構６１６と、を有している。取っ手部６１５は、上端が支軸６１５ａに固定され、支軸６１５ａはケース本体６１１に回動自在に支持されており、支軸６１５ａはケース本体６１１の側面部６１１ｂまで延びてリンク機構６１６に連結されている。
【００３８】
リンク機構６１６は、カセットロック用係止部材６１４と取っ手部６１５とを連結し、取っ手部６１５のＣ方向（図３参照）への動きを係止部材６１４に伝える機構である。リンク機構６１６は、縦方向に延びる第１リンク６１６ａと、水平方向に延びる第２リンク６１６ｂと、を有している。第１リンク６１６ａと第２リンク６１６ｂは、ケース本体６１１の側面部６１１ｂの外側に、側面部６１１ｂの外壁に沿って配置されている。
【００３９】
第１リンク６１６ａは、一端が支軸６１５ａに固定され、他端が第１連結ピン６１６ｃを介して第２リンク６１６ｂの一端部に回動自在に連結されている。
【００４０】
第２リンク６１６ｂの他端は、第２連結ピン６１６ｄを介して係止部材６１４の垂直方向に延びる第２腕部６１４ｂに回動自在に連結されている。したがって、第２リンク６１６ｂを介して回転軸６１４ｄの回りに係止部材６１４が回転して、水平方向に延びる第１腕部６１４ａの先端が上下に移動することになる。
【００４１】
次に、給紙機構６４について図３を用いて説明する。給紙機構６４は、給紙カセット６１内の用紙Ｐを順に画像形成部３に送るため部分であって、前送りコロ６４１と、１対の給紙ローラ６４２とを有している。なお、図３では、説明を容易にするために、前送りコロ６４１と１対の給紙ローラ６４２とをＢ方向に並べて示している。しかし、図４に示す通り、実際は１対の給紙ローラ６４２は、前送りコロ６４１の給紙方向下流側、すなわち図３において前送りコロ６４１より紙面手前側に設けられている。
【００４２】
前送りコロ６４１は、カセット本体６１１内に収納されている最上位の用紙Ｐに当接及び退避が可能である。給紙カセット６１が複写機１内にセット位置にある場合は、前送りコロ６４１は用紙Ｐに当接されている状態で所定の駆動手段によって駆動回転されることで、用紙Ｐが１対の給紙ローラ６４２に繰り出される。１対の給紙ローラ６４２は、フィードローラ６４２ａとリタードローラ６４２ｂとを含んでいる。１対の給紙ローラ６４２は、前送りコロ６４１と同期回転して前送りコロ６４１から繰り出された用紙を順次画像形成部３に搬送するが、例えば用紙Ｐが複数枚重なって繰り込まれた場合は、リタードローラ６４２ｂを逆回転させて用紙の重送を防ぐ。
【００４３】
前送りコロ６４１とフィードローラ６４２ａとは、ともにホルダ６４３に回転自在に支持されている。このホルダ６４３は、詳細は省略するが、下方が解放された断面コ字状の部材である。ホルダ６４３には、一端側に形成された支持部および支持部から延びて形成された他端部がある。ホルダ６４３の一端は、支持部を介して画像形成装置１のフレーム８（図２参照）に回動自在に支持され、他端は支持部、例えばフィードローラ６４２ａの回転軸を中心に揺動自在である。したがって、前送りコロ６４１は上下方向に移動自在となっている。なお、図４では、ホルダ６４３の上部を除去して示している。
【００４４】
次に、連動機構６７について説明する。連動機構６７は、カセットロック用係止部材６１４の動きと連動して、前送りコロ６４１を退避位置に退避させるための機構である。退避位置とは、カセット本体６１１内の底板６１ａが上昇しているときであって、前送りコロ６４１が、カセット本体６１１の底板６１ａに載置されている用紙Ｐと当接しない位置のことをいう。連動機構６７は、昇降部材６７１と、退避用シャフト６７２と、を有している。昇降部材６７１は、上下方向に延びる部材であり、カセット本体６１１の側面部６１１ｂに上下方向にスライド自在に支持されている。そして、昇降部材６７１の下端は係止部材６１４の他端（先端）部上面に当接している。また、退避用シャフト６７２は、図４から明らかなように、給紙機構６４のホルダ６４３に固定されており、昇降部材６７１の上端が当接している。したがって、カセットロック用の係止部材６１４の動きに応じて昇降部材６７１が昇降し、これにより、退避用シャフト６７２を介してホルダ６４３に支持されている前送りコロ６４１がセット位置と退避位置との間で移動させられることになる。
【００４５】
［退避動作］
前送りコロ６４１を退避位置に退避させる給紙装置６の動きを、再び図３を参照して説明する。図３は、給紙装置６の側面概略断面図であって、実線は、給紙カセット６１が複写機１本体内のセット位置にある場合の給紙装置６を示す。一方、図３の点線は、取っ手部６１５のＣ方向への動きに連動した給紙カセット６１の動き及び前送りコロ６４１が退避位置に退避された状態を示す。
【００４６】
給紙カセット６１が複写機１本体内のセット位置にある場合（図３の実線部分参照）、カセットロック用の係止部材６１４の切欠部６１４ｃには、複写機１本体側に設けられているロックピン１１２が係合し、給紙カセット６１は複写機１本体内でロックされている。したがって、給紙カセット６１を引き出すことはできない。また、カセット本体６１１内の底板６１ａは所定の駆動装置によって持ち上げられていて、底板６１ａの上に置かれた用紙Ｐの最上位（図示せず）には、前送りコロ６４１が当接している。
【００４７】
一方、用紙補給や紙詰まり解消等のために給紙カセット６１を複写機１本体内から引き出す場合は、取っ手部６１５を持ち上げるようにＣ方向に操作すると、その動作に連動して、ロックピン１１２と係止部材６１４との係合が解除され、それと同時に係止部材６１４と連動するように設けられている連動機構６７によって、前送りコロ６４１が退避位置に退避される（図３の点線部分参照）。
【００４８】
以上の動作をより詳細に説明する。まず、ユーザがカセット本体６１１の前面部６１１ａの凹部６１１ｄに手を差し込んで取っ手部６１５を持ち上げる操作をすると、取っ手部６１５は支軸６１５ａを支点としてＣ方向に回動し、この回動に伴って、支軸６１５ａに固定されている第１リンク６１６ａの下端が引き出し方向前方（Ｂ方向）に移動する。この第１リンク６１６ａのＢ方向の移動に伴って、第１リンク６１６ａに連結されている第２リンク６１６ｂもＢ方向に移動する。第２リンク６１６ｂは係合部材６１４の垂直方向に延びる第２腕部６１４ｂの上端に連結されているので、第２リンク６１６ｂがＢ方向に移動すると、連結ピン６１６ｄにより第２リンク６１６ｂに連結している係止部材６１４の垂直方向に延びる第２腕部６１４ｂがＤ方向に回転し、水平方向に延びる第１腕部６１４ａがＥ方向に回転する。すなわち、係止部材６１４の第１腕部６１４ａの先端側が上昇する。この状態では、係止部材６１４の第１腕部６１４の切欠部６１４ｃがロックピン１１２から離れ、両者の係合が解除される。すなわち、給紙カセット６１は複写機本体から引き出し可能な状態になる。
【００４９】
一方、係止部材６１４の水平方向に延びる第１腕部６１４ａがＥ方向に回転し、その先端部が上昇すると、この先端部に当接している昇降部材６７１は、上方向（図３のＦ方向）に移動する。そして、昇降部材６７１のＦ方向へ移動に伴い、退避用シャフト６７２を介してホルダ６４３は同様にＦ方向に押し上げられ、ホルダ６４３に支持されている前送りコロ６４１は、用紙Ｐに当接している状態から退避位置に移動する。
【００５０】
以上のような状態で、ユーザが取っ手部６１５を用いて、給紙カセット６１を実際にＢ方向に引き出すと、駆動機構（図示せず）は底板６１ａをカセット本体６１１の底部へと下降させる。
【００５１】
以上のように、本実施形態による給紙装置では、用紙の補給や紙詰まり解消等のために給紙カセットを複写機本体内から引き出すとき、カセット本体を実際に移動させる前に、取っ手部の動きに連動させてロック機構のロック状態を解除すると共に、前送りコロを退避位置に退避させることができる。従って、簡単な機構によって給紙カセットを引き出す際に生じる用紙及び前送りコロのダメージを回避することできる。
【００５２】
また、連動機構６７以外の他の機構や部材については、従来の装置にも設けられている構成であるため、比較的簡単な構成の追加で、用紙及び前送りコロのダメージを回避することができる。
【００５３】
［他の実施形態］
（ａ）本発明の給紙装置の適用は、複写機に限定されるものではなく、他の画像形成装置においても同様に適用することができる。
【００５４】
（ｂ）ロック機構を構成する係止部材等の配置及び形状は、前記実施形態に限定されるものではなく、給紙カセットを複写機にロックできる配置及び形状であれば、種々の変形が可能である。
【００５５】
（ｃ）取っ手部とロック機構とを連結する連結部の配置は、前記実施形態に限定されるものではなく、取っ手部の動きをロック機構に伝達できる配置、構成であれば、種々の変形が可能である。
【００５６】
（ｄ）ロック機構と前送りコロとを連動させる連動機構の配置は、前記実施形態に限定されるものではなく、ロック機構の動きを前送りコロに連動させて、前送りコロを退避位置に退避させることができる配置であれば、種々の変形が可能である。
【図面の簡単な説明】
【００５７】
【図１】本発明の第１実施形態による給紙カセットを備えた画像形成装置としての複写機１の全体概略図。
【図２】複写機から給紙カセットが引き出された状態を示す斜視図。
【図３】給紙装置の側面概略断面図。
【図４】給紙装置の平面概略図。
【符号の説明】
【００５８】
６１，６２  給紙カセット
６５  ロック機構
６６  ロック解除手段
６７  連動機構
１１２  ロックピン
６１１  カセット本体
６１４  係止部材
６１５  取っ手部
６１６  リンク機構
６４１  前送りコロ
６４３  ホルダ
６７１  昇降部材
６７２  退避用シャフト
【図１】
2010030713.tif 000003
【図２】
2010030713.tif 000004
【図３】
2010030713.tif 000005
【図４】
2010030713.tif 000006